(57)【要約】【課題】従来、採血においては、一般に駆血帯を緩めるときは、採血者が片手で駆血帯のクリップを緩めていたので、非採血者が不安を感じるとともに、採血者も片手での採血となるため注射器が安定せず、血管などを損傷する畏れがあった。【解決手段】駆血帯を挟持するクリップを、レリースワイヤーを使用し、手を使用せずに、駆血帯を開放するので、採血者は、注射器を安定位置の保持したままで採血出来るので血管を損傷するおそれがなくなり、一方非採血者も安心して採血を受けることが出来る。【選択図】図１
2008154930.tif 000002
【特許請求の範囲】
【請求項１】
駆血帯を挟持するクリップ部と、このクリップ部の挟持作用の開放を阻止するフック部材と、このフック部材のフック機能を維持するピンと、このピンを動作させてフック機能を解除するレリースワイヤーと、このワイヤーの駆動部とを有することを特徴とする駆血帯のクリップ装置。
【請求項２】
前項のレリースワイヤーの駆動部は足踏み式であることを特徴とする請求項１の駆血帯のクリップ装置。
【請求項３】
注射台に備え付けられたクリップ装置と、このクリップ装置に接続されるレリースワイヤーとを有するとともにこの注射台の基部にレリースワイヤーの駆動部を配置した請求項１，２の駆血帯のクリップ装置及び注射台。
【発明の詳細な説明】
【技術分野】
【０００１】
本発明は、注射等のときに腕の穿刺部位より上に駆血帯をかけ、静脈を怒張・固定して血管を浮き出させ、注射針の穿刺を容易に可能とする駆血帯のクリップ装置及びクリップ装置を有する注射台に関する。
【背景技術】
【０００２】
従来、例えば注射にあっては、駆血帯で腕の上腕部（穿刺部位より上）を縛り、血管を浮かび上がらせ、この血管に注射針を差込み、注射液（薬剤等）の注入を開始するとともに、使用者・作業者（医者、看護師）は、注射器を持っていない方の手で、駆血帯の上腕部の縛りを解いていた。
【０００３】
この従来の方式にあっては、駆血帯での上腕部の縛りを解くとき、一般的に使用者・作業者は、例えば右腕で注射器を操作しながら左腕で駆血帯の縛りを解く操作（作業）を行っており、この作業は、失敗を恐れ精神的負担の大きいものであった。
【発明の開示】
【発明が解決しようとする課題】
【０００４】
ところで、以上のような操作（作業）にあっては、使用者・作業者は、一方の手で駆血帯の縛りを解き、他方の手で注射器を固定しているといっても、この瞬間の短い時間とは言え、注射針が血管内でふらつき、最悪の場合には、注射針が血管を傷つけたり、血管から外れる虞もあり、使用者・作業者の精神的負担とともに、一方では患者・被検者は、この瞬間が一番不安を感じる時でもある。
【０００５】
本発明は、上記する課題に対処するためになされたものであり、患者・被検者の不安を取り除き、一方では、使用者・作業者に精神的負担を及ぼすことなく駆血帯の縛りを解く機構を提供するものである。
【課題を解決するための手段】
【０００６】
前記の目的を達成するために、請求項１に記載の発明は、駆血帯を挟持するクリップ部のクリップ機能を保持するフック部材のフック機能を維持するピンをレリースワイヤーを使用して解除しようとするもので、使用者・作業者がその駆動部を操作するようにしたものである。
【０００７】
請求項２に記載の発明は、レリースワイヤーの駆動部を足踏み式としたもので、使用者・作業者が手を使うことなく駆血帯の縛りを解くようにしたものである。
【０００８】
請求項３に記載の発明は、前項の駆血帯のクリップ部を、注射台上に装備し、一方のレリースワイヤーの駆動部を注射台の基部に配置し、使い勝手のよい注射台を提供するものである。
【発明の効果】
【０００９】
以上のように、本発明の構成によって、駆血帯を解く（外す）時に、患者の不安を感じることを解消し、かつ使用者・作業者が駆血帯を解く（外す）時の注射針の振れ、抜け、及び注射液の漏れもなくなり、かつ針で血管を傷つけるような不測の事態も防ぐことができる。
【００１０】
すなわち、本発明によれば、駆血帯を腕の穿刺部位より上にかけ、静脈を怒張・固定させ、この状態をクリップで維持しながら、注射針を血管に差込み、注射を開始し、次いで使用者の例えば足でレリースワイヤーの駆動部を動作させる構成であるので、注射針と血管の位置関係もずれることなく、よって血管を傷つけるなどの事故は防止できる。
【発明を実施するための最良の形態】
【００１１】
以下、図面を参照しつつこの発明を実施するための形態について説明する。
図１は、この発明のクリップ装置を装備した注射台を模式的に示したものである。
図において、１はクリップ（装置）、２はこのクリップにその一端がつながれている駆血帯で、３はクリップ１の先端に設けられているフックで、後述のようにこのフック３のフック機能をレリースワイヤー４の操作で解除する構成になっている。なお、これらのクリップ装置は、図のように注射台５のマット部６上に設けられており、クリップ１と接続されているレリースワイヤー４は、注射台５の中空の柱部７の中空部を介して基板８上の駆動部９に繋がっており、駆動部９のペタル操作（後述）でフック３機能を開放するものである。
【００１２】
図２は、図１に示したクリップ部１の詳細を示すもので、このクリップ部は、ハサミ形状で、クリップ部１１と握り部１２をその両側に有する２個のクリップ片１３がその中心部１４で螺合（ジョイント）されている。この２つの握り部１２の間には、ばね１５がセットされており、この図でははさみ形体のクリップ部１１を常に開放する（開く）ように賦勢されている。１６は、一方のクリップ部１１に設けられたフックで、このフック１６は他方のクリップ部に設けられているピン（突起）１７に引っ掛けられ、両クリップ部の開放（開き）を阻止するものである。上記ピン１７は、図３で示すように、クリップ部１１から突き出しており、このピン１７は、後述のレリースワイヤーに接続され、動作される。
【００１３】
なお、２は駆血帯で例えばゴム製であり、この図においては、その一端はジョイント１４に固定され、他端は自由端（フリー）となっており、腕などに巻回できる長さを有している。この駆血帯を腕に巻きつけて、クリップ部でこの駆血帯を挟んで、腕の静脈の怒張・固定を維持する。この説明においては、駆血帯２の一端はジョイント１４に固定されると説明をしたが、固定しておかなくとも両端がフリーの状態で腕に巻きつけ、静脈を怒張・固定した状態でその両端をクリップ１で挟むこともこの発明の範疇に入るものである。
【００１４】
図３は、図２のＡ−Ａの点線から見た図で、クリップ部１１からピン（突起）１７がとび出しており、このピン１７にその先端が湾曲したフック１６が繋合し、両クリップ間に駆血帯２を挟持する状態を維持する。このピン１７は、レリースワイヤーの芯材４１に繋がり、この芯材４１は、駆動部９のペタル９１に接続される。なお、４２はレリースワイヤー４のガイド官であり、このガイド官４２は、駆動部９の枠体９２とクリップ部１１間に接続されており、この中を芯材４１が移動し、ペタル９１の踏み込みで、ピン１７が動作する。また９３は、ペタル９１を常にもとの位置に復帰させるバネで、ペタルを踏んでいる以外の時は、ピン１７が、クリップ部から突起している状態を維持する。
【実施例】
【００１５】
以上の構成において、注射台上の患者の穿刺部位より数センチ上に駆血帯２を巻きつけ、静脈を怒張・固定させる。この状態を維持するために、駆血帯２をクリップ部１１で挟持しかつフック１６の湾曲部をピン１７に引っ掛け、挟持状態を維持させる。
【００１６】
次いで注射針（図示せず）を穿刺して注射器内に血液が侵入してきた時に、静脈に正確に穿刺されたことがわかるので、作業者は、駆動部のペタルを足で踏み、レリースワイヤーを動作させて突起ピン１７を引っ込めることでフック１６はピンより外れ、クリップは１１は元の開放位置にバネ１５で回復する。このように、使用者・作業者は、両手を注射液注入作業に関係させたままで、駆血帯を外すことができ、注射器を安定させた状態に維持させ続けることができ、一方患者・被検者も不安を感じることなく注射を受けることが出来る。なお、レリースワイヤーの駆動部をペタル式として説明したが、ペタル式でなくともボタン式として、注射台のマット部に設けて、使用者・作業者の肘などで動作させることも可能である。
【００１７】
以上の説明において、便宜上、注射台として説明したが、採血台としても当然利用できるもので、採血台もこの発明の範疇に入るものである。またバネ１５として説明をしたが、駆血帯自身が弾力性のあるゴム製品なので、バネが存在せずともフックを外すと自力で元の状態に復帰することは明らかなので、バネ１５の存在は必須ではない。
【産業上の利用可能性】
【００１８】
以上の説明において明らかなように、駆血帯の挟持をレリースワイヤーで、使用者の手を煩わすことなく、例えば足を使用して開放できるので、使用者・作業者、患者・被検者の両者にとって従来抱えていた不安を解消でき、再刺入することもなくなり、利用価値の高い駆血帯のクリップ装置及び注射台を提供できる。
【図面の簡単な説明】
【００１９】
【図１】この発明の全体構成を模式的に説明した図
【図２】この発明のクリップ部構成を説明する図
【図３】図２のＡ−Ａより見た図
【符号の説明】
【００２０】
１  クリップ
２  駆血帯
３  フック
４  レリースワイヤー
５  注射台
６  マット部
７  柱部
８  基板
９  駆動部
１１  クリップ部
１２  握部
１３  クリップ片
１４  ジョイント（螺合）
１５  バネ
１６  フック
１７  ピン（突起）
４１  芯材
４２  ガイド官
９１  ペタル
９２  枠部
９３  バネ
【図１】
2008154930.tif 000003
【図２】
2008154930.tif 000004
【図３】
2008154930.tif 000005